(57)【要約】  【課題】自動販売機の盗難防止用の構造に関し、盗難防止用プレートの軸部が外部からの外力に対し、機械強度が弱く、軸部がたわむため、盗難防止用プレートが外れる可能性の低減を図るものである。  【解決手段】自動販売機の盗難防止用プレート９の軸部９ａ近傍に規制部材１２を備えることによって、庫内側へ押しても、規制部材１２が噛み込み、たわみが規制されることにより、盗難防止用プレート９が容易に外れず盗難防止が図れる自動販売機を提供できるものである。【選択図】図１
2008033494.tif 000002
【特許請求の範囲】
【請求項１】
庫内を開閉する内扉と、外扉の商品取出口との間に前後に回動可能に軸支した盗難防止用プレートを備える自動販売機において、前記盗難防止用プレートの軸部の後方に外力による前記軸部のたわみを規制する規制部材を備えたことを特徴とする自動販売機。
【請求項２】
規制部材は軸部の近傍に備えられ、前記規制部材の下端部は前記軸部よりも下方に配置し、前記軸部方向に変形させていることを特徴とする請求項１に記載の自動販売機。
【請求項３】
規制部材は盗難防止用プレート上部の天板を切欠いて形成され、前記盗難防止用プレートの左右幅の略中央部又は強度向上のために複数個形成したことを特徴とする請求項１または２に記載の自動販売機。
【請求項４】
規制部材は盗難防止用プレートの軸部を覆う断面略コの字形状で形成され、前記盗難防止用プレートの軸部を保護したことを特徴とする請求項１に記載の自動販売機。
【請求項５】
軸部に軸支される盗難防止用プレートの上端部はカール加工してカール加工部が形成され、前記カール加工部は前記軸部に対してカール部が後方になるように軸支されることを特徴とする請求項１に記載の自動販売機。
【発明の詳細な説明】
【技術分野】
【０００１】
本発明は缶入り飲料などの商品を販売する自動販売機に関するものである。
【背景技術】
【０００２】
近年、缶入り飲料などの商品を販売する自動販売機は、商品取出口に盗難防止プレートを設けて飲料商品の盗難防止を図ってきた。
【０００３】
まず、図５は一般に缶入り飲料などの商品を販売する自動販売機の構成図である。図５において、自動販売機の本体１の前面に設けられた外扉２と、外扉２の下部に設けた商品取出口３と、内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の中に転がり落ち受容される。そして、自動販売機利用客は商品取出口３の前面に配した取出口扉８を開いて内部に手を差し入れ、盗難防止用プレート９を押しのけて、商品を掴んで取出すことができる。
【０００６】
次に図６は、従来の自動販売機の構成図である。以下、図面を参照しながら上記従来の自動販売機を説明する。図６に示すように従来の自動販売機は、商品取出口３の底板３ａに樹脂製底部シート１０と、前面板３ｂに勘合する断面逆Ｕ字状をなす硬質樹脂製の搬出緩衝材１１と、商品取出口３内部には開閉角度により、庫外から手や棒を庫内に入るのを防ぐための盗難防止用プレート９と、盗難防止用プレート９を前後に回動可能にするための軸部９ａから構成されている。
【０００７】
以上のように構成された自動販売機について、以下その動作を説明する。
【０００８】
まず、内扉４に設けられた搬出扉７を押し開けて商品取出口３の中に転がり落ちた商品は、搬出緩衝材１１に当たり、底部シート１０に落下し、商品取出口３に受容される。そして、自動販売機利用客は商品取出口３の前面に配した取出口扉８を開いて内部に手を差し入れ、軸部９ａにより回動可能な盗難防止用プレート９を押しのけて、商品を掴んで取出すことができる。
【特許文献１】特開平８−２９３０５５号公報
【発明の開示】
【発明が解決しようとする課題】
【０００９】
しかしながら、上記従来の構成は、盗難防止用プレート９を回動可能にするための軸部９ａが、長手方向において、外部からの外力に対し、機械強度が弱く、軸部９ａがたわむため、盗難防止用プレート９が外れる可能性があるという課題を有していた。
【００１０】
本発明は従来の課題を解決するもので、軸部９ａのたわみを規制することで容易に盗難防止用プレート９が外れないようにし、かつ安価な加工により規制することができる自動販売機を提供することを目的とする。
【課題を解決するための手段】
【００１１】
上記従来の課題を解決するために、本発明の自動販売機は、盗難防止用プレートの軸部の後方に外力による前記軸部のたわみを規制する規制部材を備えた自動販売機を提供するものである。
【００１２】
これによって、前記軸部のたわみが規制されることにより、前記盗難防止用プレートが容易に外れなくすることができる。
【００１３】
また、本発明の自動販売機は、前記発明をさらに、前記規制部材を前記軸部の近傍に備え、前記規制部材の下端部は前記軸部よりも下方に配置し、前記軸部方向に変形させている規制部材を備えた自動販売機を提供するものである。
【００１４】
これによって、前記盗難防止用プレートの前記軸部を庫内側へ押しても、前記規制部材が噛み込み、たわみが規制されることにより、前記盗難防止用プレートが容易に外れなくすることができる。
【００１５】
また、本発明の自動販売機は、前記発明をさらに、前記規制部材を前記盗難防止用プレート上部の天板を切欠いて形成され、前記盗難防止用プレートの左右幅の略中央部又は、強度向上のため複数個形成した規制部材を備えた自動販売機を提供するものである。
【００１６】
これによって、部品点数を増やさず、かつ組み立て工数も低減させることにより、安価な規制部材を提供することができる。
【００１７】
また、本発明の自動販売機は、前記発明をさらに、前記規制部材を前記盗難防止用プレートの前記軸部を覆う断面略コの字形状で形成され、前記盗難防止用プレートの軸部を保護した断面形状を備えた自動販売機を提供するものである。
【００１８】
これによって、前記盗難防止用プレートの軸部を前記軸庫内側へ押しても、前記軸部がたわむ空間をなくすことにより、前記盗難防止用プレートが容易に外れなくすることができる。
【００１９】
また、本発明の自動販売機は、前記軸部に軸支される前記盗難防止用プレートの上端部にカール加工してカール加工部が形成され、前記カール加工部は前記軸部に対してカール部が後方になるように軸支されている盗難防止用プレートを備えた自動販売機を提供するものである。
【００２０】
これによって、前記盗難防止用プレートの前記軸部を庫内側へ押しても、前記規制部材が噛み込み、たわみが規制されることにより、前記盗難防止用プレートが容易に外れなくすることができる。
【発明の効果】
【００２１】
本発明の自動販売機は、盗難防止用プレートの外部からの外力による軸部たわみの規制部材を備えることで、簡単に盗難防止プレートが外れないようにした。
【００２２】
また、本発明の自動販売機は、前記発明をさらに、前記盗難防止用プレートの天板に切り起こし加工をしたことにより、規制部材の部品点数を増やさず、かつ組み立て工数も低減させることにより、安価な規制部材を備えることができる。
【発明を実施するための最良の形態】
【００２３】
請求項１に記載の発明は、盗難防止用プレートの軸部の後方に外力による前記軸部のたわみを規制する規制部材を備えたことで、前記軸部のたわみが規制されることにより、前記盗難防止用プレートが容易に外れなくすることができる。
【００２４】
請求項２に記載の発明は、請求項１に記載の発明において、さらに、前記規制部材は前記軸部の近傍に備えられ、前記規制部材の下端部は前記軸部よりも下方に配置し、前記軸部方向に変形させていることで、前記盗難防止用プレートの前記軸部を庫内側へ押しても、前記規制部材が噛み込み、たわみが規制されることにより、前記盗難防止用プレートが容易に外れなくすることができる。
【００２５】
請求項３に記載の発明は、請求項１または２に記載の発明において、さらに前記規制部材は前記盗難防止用プレート上部の天板を切欠いて形成され、前記盗難防止用プレートの左右幅の略中央部又は、強度向上のため複数個形成したことで、規制部材の部品点数を増やさず、かつ組み立て工数も低減させることにより、安価な規制部材を備えることができる。
【００２６】
請求項４に記載の発明は、請求項１に記載の発明において、さらに規制部材は盗難防止用プレートの軸部を覆う断面略コの字形状で形成され、前記盗難防止用プレートの軸部を保護したことで、前記盗難防止用プレートの軸部を前記軸庫内側へ押しても、前記軸部がたわむ空間をなくすことにより、前記盗難防止用プレートが容易に外れなくすることができる。
【００２７】
請求項５に記載の発明は、請求項１に記載の発明において、さらに前記軸部に軸支される前記盗難防止用プレートの上端部はカール加工してカール加工部が形成され、前記カール加工部は前記軸部に対してカール部が後方になるように軸支されることで、前記盗難防止用プレートの前記軸部を庫内側へ押しても、前記規制部材が噛み込み、たわみが規制されることにより、前記盗難防止用プレートが容易に外れなくすることができる。
【００２８】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２９】
（実施の形態１）
図１は、本発明の実施の形態１における自動販売機の構成図である。
【００３０】
図１に示すように、自動販売機は基本的に図６に示した従来構造と同様であるが、盗難防止用プレート９の軸部９ａの近傍に規制部材１２が備えられ、規制部材１２の下端部は軸部９ａよりも下方に配置し、軸部９ａ方向に変形させている。尚、軸部断面形状は略円形状に限るものではない。
【００３１】
以上のように構成された自動販売機の商品取出口装置について、以下にその動作を説明する。
【００３２】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の中に転がり落ちた商品は、搬出緩衝材１１に当たり、底部シート１０に落下し受容される。そして、自動販売機利用客は商品取出口３の前面に配した取出口扉８を開いて内部に手を差し入れ、盗難防止用プレート９の上部の軸部９ａにより、回動可能な盗難防止用プレート９を押しのけて、商品を掴んで取出すことができる。また、中身飲料商品盗難のため、盗難防止用プレート９の軸部９ａを庫内側へ押しても、規制部材１２が噛み込み、たわみが規制されることにより、前記盗難防止用プレートが容易に外れなくすることができる。
【００３３】
図２は、本発明の実施の形態１における自動販売機の盗難防止用プレートの規制部材の天板の切り起こし加工部品詳細図である。
【００３４】
本実施の形態は、自動販売機に、さらに、盗難防止用プレート９の規制部材１２を天板１３に切り起こし加工１３ａを施すことで、部品点数を増やさず、かつ組み立て工数も低減させることにより、安価な規制部材を備えたものである。
【００３５】
図３は、本発明の実施の形態１における自動販売機の盗難防止用プレートの軸部の保護断面詳細図である。
【００３６】
本実施の形態は、自動販売機の盗難防止用プレート９の軸部９ａが軸部９ａを覆う断面略コの字形状１３ｂで形成されることで、盗難防止用プレート９の軸部９ａを庫内側へ押しても、軸部９ａがたわむ空間をなくすことにより、盗難防止用プレート９ａが容易に外れなくすることができる。
【００３７】
図４は、本発明の実施の形態１における自動販売機の盗難防止用プレートの軸部のカ−ル加工部品詳細図である。
【００３８】
以上のように構成された自動販売機について、以下にその動作を説明する。
【００３９】
まず、自動販売機利用客が、誤って盗難防止用プレート９の軸部９ａを庫内側へ押した際、盗難防止用プレート９の軸部９ａが、規制部材１２が備えられた天板１３の切り起こし加工１３ａに当たるので、盗難防止用プレート９の軸部９ａが庫内側へと押しやれず、結果、強度を向上させることができる。
【産業上の利用可能性】
【００４０】
以上のように、本発明にかかる自動販売機は、規制部材を備えることにより、長手部材のたわみを規制することができるので、缶入り飲料などの商品を販売する自動販売機以外にも、たばこや切符の自動販売機の商品取出口装置等の用途にも適用できる。
【図面の簡単な説明】
【００４１】
【図１】本発明の実施の形態１による自動販売機の構成図
【図２】本発明の実施の形態１による自動販売機の盗難防止用プレートの規制部材の天板の切り起こし加工部品詳細図
【図３】本発明の実施の形態１による自動販売機の盗難防止用プレートの軸部の保護断面詳細図
【図４】本発明の実施の形態１による自動販売機の盗難防止用プレートの軸部のカ−ル加工部品詳細図
【図５】従来の自動販売機の構成図
【図６】従来の自動販売機の構成図
【符号の説明】
【００４２】
３    商品取出口
４    内扉
７    搬出扉
９    盗難防止用プレート
９ａ  軸部
１２  規制部材
１３  天板
１３ａ  切り起こし加工
１３ｂ  コの字断面形状
【図１】
2008033494.tif 000003
【図２】
2008033494.tif 000004
【図３】
2008033494.tif 000005
【図４】
2008033494.tif 000006
【図５】
2008033494.tif 000007
【図６】
2008033494.tif 000008